【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
ａ．光拡散要素を備え、前記光拡散要素は、
ｉ．頂部、底部及び側部を有し、前記頂部がスクリーンを有し、前記底部が前記実質的に半球である内表面を有し、前記側部が実質的に筒状である内表面を有し、前記側部が前記頂部及び前記底部に接続されている要素と、
ｉｉ．前記側部内にあり、前記頂部と実質的に平行であり、前記底部に隣接し、光導管が収容されるように構成されたアウトレットポートとを有するデバイス。
【請求項２】
ｂ．前記光導管を収容するように構成された開口を含む光測定コンポーネントと、
ｃ．第１の端部及び第２の端部を有し、前記第１の端部が前記光拡散要素の前記アウトレットポートに光学的に接続され、前記第２の端部が前記光測定コンポーネントの開口に光学的に接続された光導管とを更に備える請求項１記載のデバイス。
【請求項３】
前記光拡散要素は、内壁及び外壁を有する外側シェル内に収容され、前記デバイスは、前記アウトレットポートに整列され、及び前記光導管の前記第１の端部に更に整列された接続要素を更に備え、
前記光拡散要素の側部の内表面が、前記外側シェルの内壁から１ｍｍから１５ｍｍ分離されているか、又は、
前記光拡散要素の側部の内表面が、前記外側シェルの内壁から約３ｍｍ分離されているか、又は、
前記光拡散要素の側部の内表面が、光が前記側部の内表面又は前記光拡散要素の底部を透過し、前記外側シェルの内壁とインタラクトすることを防止するために十分な距離だけ、前記外側シェルの前記内壁から分離されており、
前記外側シェルは、プラスチック、セラミック、ガラス及び金属からなるグループから選択される固体材料から形成されている請求項１項記載のデバイス。
【請求項４】
前記要素（ｉ）は、前記内表面に亘って実質的に一様な光拡散を実現し、
前記内表面は、ポリテトラフルオロエチレン、硫酸バリウム又はポリオキシメチレンを含む請求項１乃至３何れか１項記載のデバイス。
【請求項５】
前記頂部は、更に、前記側部の実質的に筒状の内表面の直径と実質的に等しい又はこれより小さい直径を有するアパーチャを有し、
前記スクリーンは、前記アパーチャを覆い、かつ／又は、
前記頂部は、プラスチック、セラミック、ガラス及び金属からなるグループから選択される固体材料から形成されており、かつ／又は、
前記スクリーンが、前記光拡散要素の側部を覆うように寸法決めされ、かつ／又は、
前記スクリーンが、実質的に正方形、円形又はディスク状であり、かつ／又は、
前記スクリーンが、厚さ１ｍｍ、直径２８ｍｍの寸法を有するディスクであり、かつ／又は、
前記スクリーンの厚さが、０．１ｍｍ〜５ｍｍであり、かつ／又は、
前記スクリーンが、ポリテトラフルオロエチレン、硫酸バリウム又はポリオキシメチレンを含み、かつ／又は、
前記スクリーンが、透明又は半透明の材料からなり、かつ／又は、
前記スクリーンが、半透明のランバートコーティングによってコーティングされており、かつ／又は、
前記スクリーンが、更に、マジックミラーを備え、前記マジックミラーは、前記光拡散要素への光を透過し、前記光拡散要素から反射して、前記マジックミラーに入射する光を実質的に遮蔽する、請求項１乃至４何れか１項記載のデバイス。
【請求項６】
前記スクリーンの上又は下に配置されたフィルタを更に備え、
前記スクリーン上のフィルタが、前記頂部のアパーチャを覆うか、又は、
前記フィルタが、前記スクリーンを物理的損傷から保護するガラスであるか、又は、
前記フィルタが、中性濃度フィルタ又は帯域通過フィルタであるか、又は、
前記フィルタが、青色帯域通過フィルタであるか、又は、
前記フィルタが、５００ｎｍより長い波長をフィルタリングする、請求項１乃至５何れか１項記載のデバイス。
【請求項７】
前記側部の実質的に筒状の内表面の高さが、１ｍｍから５０ｍｍの間であり、かつ／又は、
前記側部の実質的に筒状の内表面の高さが、１ｍｍから１５ｍｍの間であり、かつ／又は、
前記光拡散要素の前記頂部が、さらに、前記側部の実質的に筒状の内表面の直径と実質的に等しいか或いはそれより小さい直径を有するアパーチャを有し、前記光拡散要素の頂部のアパーチャの直径が４ｍｍから３０ｍｍの間、或いは、３０ｍｍから３００ｍｍの間であり、前記アパーチャの直径が約１６ｍｍである、請求項１乃至６何れか１項記載のデバイス。
【請求項８】
前記光導管の内径が、１０μｍから１０００μｍの間であり、かつ／又は、
前記光導管の長さが、１ｍｍから３００ｍｍの間であり、かつ／又は、
前記光測定コンポーネントの開口の直径が、１０μｍから１０００μｍの間であり、かつ／又は、
前記光測定コンポーネントが、１５０ｎｍから１０００ｎｍの間の波長を測定する能力を有し、かつ／又は、
前記光測定コンポーネントが、３６０ｎｍから５４０ｎｍの間の波長を測定する能力を有し、かつ／又は、
前記デバイスは、前記光測定コンポーネントによって収集されたデータが供給され、解析を行うプロセッサを更に備え、かつ／又は、
前記デバイスは、インジケータを表示する能力を有するディスプレイを更に備える、請求項２項記載のデバイス。
【請求項９】
前記光拡散要素、前記光測定コンポーネント及び前記光導管を収容する外側ハウジングを更に備え、
前記外側ハウジングが、前記光拡散要素の頂部に揃えられたウィンドウを更に備え、かつ／又は、
前記外側ハウジングが、前記光測定コンポーネントに隣接する開口を更に備え、前記開口は、ケーブルが挿入されるように構成されている、請求項２又は８記載のデバイス。
【請求項１０】
光源が生成した光を請求項２、８、又は９記載のデバイスの光拡散要素に向けるステップを有する、光を測定する方法において、
ａ．前記光拡散要素に入射する光が、前記光拡散要素内で拡散するステップと、
ｂ．前記光拡散要素内で拡散した前記光の一部が、前記アウトレットポートから出て、前記光導管を通って、前記光測定コンポーネントに到達するステップと、
ｃ．前記光測定コンポーネントが、前記ステップｂの光の特性を測定して、データを生成し、前記データをプロセッサに供給するステップと、
ｄ．前記プロセッサが、前記データを解析し、インジケータを生成するステップと、
を有する方法。
【請求項１１】
前記光測定コンポーネントは、可視光、赤外光又は紫外光を測定する請求項１０記載の方法。
【請求項１２】
前記光は、光遮蔽材料を通過して、前記光拡散要素に到達し、
前記光遮蔽材料は、歯科用樹脂硬化器具が生成する光による損傷から眼を保護するシールド又は眼鏡である、請求項１０又は１１記載の方法。
【請求項１３】
前記光源は、歯科用樹脂を硬化させる能力を有する請求項１０乃至１２何れか１項記載の方法。
【請求項１４】
前記インジケータは、パワー、放射照度又は最長露光時間である請求項１０乃至１３何れか１項記載の方法。
【請求項１５】
前記方法は、較正ステップを更に有し、前記較正ステップは、
ｅ．予め較正されたランプを準備するステップと、
ｆ．前記予め較正されたランプから光ビームを生成して、前記光ビームを前記光拡散要素に向けるステップと、
ｇ．インジケータ値を取得し、前記インジケータ値を、前記予め較正されたランプに関連付けられたインジケータ値と比較するステップと、
ｈ．前記ステップｇにおける比較に基づいて補正係数を決定するステップと、
ｉ．前記ステップｄにおいて前記インジケータを生成する際に前記補正係数を適用するステップと、
を含む請求項１０乃至１４何れか１項記載の方法。